(57)【要約】【課題】特にスキービンディング用の調整・ロック装置を提供する。【解決手段】調整・ロック装置は、爪先ユニットおよび踵ユニットを支持する第１前部プレートおよび第２後部プレートを備え、第１プレートと第２プレートとの間には第３プレートが介在される。第３プレートは、ユーザにより付勢可能な手段を有し、同手段は、手動による第１、第２プレートの互いに反対方向の軸方向移動を協調させるのに好適する機構を一時的にロックさせる。【選択図】図２
2004514512.tif 000002
【特許請求の範囲】
【請求項１】
爪先ユニットおよび踵ユニットをそれぞれ支持する第１前部プレートと第２後部プレートを備える、特にスキービンディング用の調整・ロック装置において、
前記第１プレートと前記第２プレートとの間に第３プレートが設けられ、
前記第３プレートが、前記第１および第２プレートの互いに反対方向への軸方向移動を協調させるのに好適な機構を一時的にロックさせる手段を備え、該手段はユーザにより付勢可能であることを特徴とする調整・ロック装置。
【請求項２】
前記第１および第２プレートが逆Ｃ字状の横断面形状を有し、また、前記第３プレートの、前記第１，第２プレートの下側に配され且つ相補形状の第１端部および第２端部に対して前記第１、第２プレートが滑動自在に結合可能であることを特徴とする請求項１に記載の調整・ロック装置。
【請求項３】
前記第１、第２プレートと前記第３プレートの前記第１，第２端部とのガイド付き相互接続のための２つのウイングが設けられ、前記ウイングは、前記第１および第２プレートに関して内方かつ下方へ突出することを特徴とする請求項２に記載の調整・ロック装置。
【請求項４】
前記第３プレートが、前記第１端部と前記第２端部との間に介在する箱状の中央体を有し、上方カバーパネルおよび下方カバーパネルにより前記第３プレートの頂面および底面を閉鎖可能であることを特徴とする請求項１ないし３のいずれかに記載の調整・ロック装置。
【請求項５】
前記第１、第２プレートの反対方向への軸方向移動を協調させるのに好適な前記機構が、前記上方カバーパネルと前記下方カバーパネルとの間に形成された区画内に配されることを特徴とする請求項４に記載の調整・ロック装置。
【請求項６】
前記第１、第２プレートの反対方向への軸方向移動を協調させるのに好適な前記機構が、互いに重ねられると共に堅固に結合され或いは互いにモノリシックにされた上方ピニオンと下方ピニオンとを備えることを特徴とする請求項１ないし５のいずれかに記載の調整・ロック装置。
【請求項７】
前記上方および下方ピニオンが、前記中央体に垂直に配された第１孔を通る第１ピボットに関して回転接続され、前記第１ピボットの第３下方端が前記中央体に形成された相補形状の第１座内に接続されることを特徴とする請求項６に記載の調整・ロック装置。
【請求項８】
側部がラック形状になっており互いに対向すると共に前記下方ピニオンの歯と相互作用する２つの自由端の接続により、前記下方ピニオンが、前記第１、第２プレートに対する接続用の第１および第２要素を係合させるのに好適し、また、前記下方ピニオンが前記上方ピニオンよりも小さいことを特徴とする請求項６に記載の調整・ロック装置。
【請求項９】
ユーザにより付勢可能な前記一時ロック手段が第１爪と第２爪とから構成され、前記第１爪および第２爪が、前記上方ピニオンの近くの前記中央体に回転自在に結合可能であることを特徴とする請求項１ないし８のいずれかに記載の調整・ロック装置。
【請求項１０】
前記第１爪および第２爪が、逆方向移動の組み合わせにより、前記上方ピニオンと相互作用することを特徴とする請求項９に記載の調整・ロック装置。
【請求項１１】
前記第１爪および第２爪が、長手方向に配された垂直平面に関して対称な平坦形状であることを特徴とする請求項１０に記載の調整・ロック装置。
【請求項１２】
前記第１爪および第２爪が、好ましくは略三角形または涙滴形状またはカム形状であることを特徴とする請求項１１に記載の調整・ロック装置。
【請求項１３】
垂直配置されると共に前記第１、第２爪の略中央に形成された第２孔及び第３孔をそれぞれ挿通する第２ピボット及び第３ピボットにより、前記第１爪及び第２爪が前記中央体に回転可能に結合されることを特徴とする請求項９に記載の調整・ロック装置。
【請求項１４】
前記第１爪および第２爪が水平平面に配置され、互いに鏡面対称位置にあり、前記第２ピボットおよび第３ピボットまわりに反対方向に回転可能であることを特徴とする請求項１０および１３に記載の調整・ロック装置。
【請求項１５】
前記第１爪および第２爪の相互回転が一つ以上の歯の存在により協調し、前記一つ以上の歯が、前記第１爪および第２爪のそれぞれから半径方向に突出し且つロック状態では隣り合うことを特徴とする請求項１４に記載の調整・ロック装置。
【請求項１６】
前記一つ以上の歯が互いに相互作用して、前記第１爪および第２爪の一方に与えられた回転運動を協調させると共に垂直長手方向面に関して対称にすることを特徴とする請求項１ないし１５のいずれかに記載の調整・ロック装置。
【請求項１７】
前記第３ピボットが円筒状であり、前記第３円形孔に対して相補的な形状にされて、前記第２爪を前記第３ピボットのまわりに回転可能にすることを特徴とする請求項１ないし１６のいずれかに記載の調整・ロック装置。
【請求項１８】
前記第３ピボットの第４下方端を、前記中央体に形成された相補形状の第２座内に収容可能であることを特徴とする請求項１７に記載の調整・ロック装置。
【請求項１９】
前記第２ピボットの第５下方端が円筒状であって、前記中央体に形成された相補形状の第３座内に回転自在に結合可能であることを特徴とする請求項１ないし１８のいずれかに記載の調整・ロック装置。
【請求項２０】
前記第５端の上方で、前記第２ピボットが、前記第１爪の相補形状の前記第２孔との非回転式接続に好適な角柱形状領域を有することを特徴とする請求項１９に記載の調整・ロック装置。
【請求項２１】
前記第２ピボットの第６端は角柱形状であって、上方領域に配されたレバーの下方面に形成された相補形状の第４座に非回転式に係合可能であることを特徴とする請求項２０に記載の調整・ロック装置。
【請求項２２】
前記レバーは前記上方カバーパネルに形成された開口内に収容可能であり、前記開口の形状は、前記調整・ロック装置を組み立てたときに前記第２ピボットから前記レバーが直ぐに分離しないようにするのに好適であることを特徴とする請求項２１に記載の調整・ロック装置。
【請求項２３】
前記レバーから側方にタブが突出し、前記タブはユーザによる前記レバーの回転を実施可能とし、これにより前記第２ピボットを強制回転させて、前記角柱形状領域での前記非回転式接続により前記第１爪を強制回転させることを特徴とする請求項１ないし２２のいずれかに記載の調整・ロック装置。
【請求項２４】
前記第１爪および第２爪から半径方向に突出する前記１つ以上の歯が、前記第１爪の回転と同じだけ反対方向に前記第２爪を強制回転させることを特徴とする請求項１ないし２３のいずれかに記載の調整・ロック装置。
【請求項２５】
前記第１爪と前記第２爪との間に弾性変形可能要素を備え、前記弾性変形可能要素には予めセット荷重が加えられ、前記弾性変形可能要素は前記第１爪および第２爪の動作を協調させるのに好適することを特徴とする請求項１ないし２４のいずれかに記載の調整・ロック装置。
【請求項２６】
前記弾性変形可能要素は、自由端が第４孔および第５孔に関連づけられたワイヤスプリングにより構成され、前記第４孔および第５孔は相補形状にされると共に前記第２孔および第３孔の近くで前記第１爪および第２爪に形成されることを特徴とする請求項２５に記載の調整・ロック装置。
【請求項２７】
前記第１爪および第２爪の前記上方ピニオンから遠ざかる回転により、セット荷重を予め加えられた前記弾性変形可能要素に対して追加の荷重を加えることを特徴とする請求項２６に記載の調整・ロック装置。
【請求項２８】
第１の組の歯と第２の組の歯が、前記上方ピニオンの近くに配された前記第１爪および第２爪から側方に突出することを特徴とする請求項１ないし２７のいずれかに記載の調整・ロック装置。
【請求項２９】
前記第１爪および第２爪の自由端の近くに突出する前記第１および第２の組の歯が、前記上方ピニオンの歯に対して相補形状にされ、前記上方ピニオンの歯と半径方向に相互作用可能であって、前記調整装置をロックすることを特徴とする請求項２７に記載の調整・ロック装置。
【請求項３０】
前記第１および第２の組の歯の前記上方ピニオンへのロック力が、前記弾性変形可能要素に予め加えられたセット荷重により発生する弾性力から構成されることを特徴とする請求項２８に記載の調整・ロック装置。
【請求項３１】
前記第１爪および第２爪により構成される前記ロック装置は、前記弾性変形可能要素と反対方向に前記レバーに作用を加えることにより開き、これにより前記上方ピニオンから前記第１および第２の組の歯を係合解除するのに好適な、前記第１爪および第２爪の回転を生じさせることを特徴とする請求項１ないし３０のいずれかに記載の調整・ロック装置。
【請求項３２】
前記第３プレートの前記第１および第２端部に沿う前記第１および第２プレートのストロークを制限するのに好適な第１当接面および第２当接面を有することを特徴とする請求項１ないし３１のいずれかに記載の調整・ロック装置。
【請求項３３】
前記第３プレートの前記中央体に関して前記第１端部および第２端部にテーパを付けることにより、前記第１および第２当接面を得ることを特徴とする請求項３２に記載の調整・ロック装置。
【請求項３４】
前記第１および第２当接面を前記上方カバーパネルの自由端に形成したことを特徴とする請求項３２に記載の調整・ロック装置。
【発明の詳細な説明】
【０００１】
【発明の属する技術分野】
本発明は、スキービンディングでの使用に特に好適な調整・ロック装置に関する。
【０００２】
【関連する背景技術】
現在使用されている公知のスキービンディングは爪先ユニットおよび踵ユニットから構成され、両ユニットは、その下側領域が、ねじ、ボルト、ブラケット、ガイドなどの公知の接続・固定手段により、スキー板やこれに結合した係合要素に結合している。
【０００３】
爪先ユニットおよび踵ユニットは例えば前部および後部顎部によりそれぞれ構成され、両ユニットは、好適な自動装置と共に、スキー靴の先端および踵を一時的にロックするものになっている。
上記公知のスキービンディングは、一般には、踵ユニットをスキー板に関して長手方向に移動可能とすることにより靴寸法に応じて調整可能になっている。この調整は、例えば米国特許４，５２２，４２２に記載のようにねじ・ラック式の調整手段により行われ、調整手段は、踵ユニットの下方に配されると共にスキー板表面のラックと係合するねじにより、踵ユニットの長手方向移動が付勢される。この装置によれば、寸法調整を連続的に行える。
【０００４】
調整装置の別の例、ここでは不連続式の調整装置は、ドイツ国公開公報４，０４１，４０２または欧州公開公報０，７２９，７７０に記載されている。この調整装置では次のようにして調整が行われる。すなわち、踵ユニットに堅固に連結された爪とスキー板に堅固に連結されたラックとの係合を解除し、好適に設けられたガイドに沿って踵ユニットを長手方向に移動させ、踵ユニットを新たな位置に再度位置決めし、さらに、踵ユニットを新たに選択した位置にロックするべく爪をラックに再び係合させる。
【０００５】
この調整では、固定されている爪先ユニットに関して踵ユニットを移動させる必要があるため、スキー板の位置に関してユーザの重心が変位し、この結果、スキー中にスキーヤのバランスを変化させることになる。
また、全ての公知のスキー板、特に最近設計されたものは、スキー板に関してスキー靴を極めて特定の位置にセットして、好適に使用すべきものになっている。
【０００６】
公知の調整装置の主たる欠点は、踵ユニットをスキー板の後尾に向かって短い距離だけ移動させる間に上記調整を行わねばならない点にある。すなわち、踵ユニットを過度に移動させると、ユーザの重心が過度に変位し、その結果、スキー運動に困難を来たしたり、安全度が低下することになる。
ドイツ特許２，２４６，６６８に開示されたスキービンディングは上記の欠点の一部を解消するもので、このスキービンディングを構成する爪先ユニットおよび踵ユニットは、両ユニットの長手方向位置を同時に調整する機構を備えている。そして、上記機構は２つの接続要素を備え、一方の接続要素は爪先ユニットに接続され、他方の接続要素は踵ユニットに接続される。両ユニットは、ラック・ピニオン装置からなる調整装置により相互に接続される。
【０００７】
ユーザは、調整装置を付勢させることにより爪先ユニットおよび踵ユニットの位置を調整可能である。調整装置は、ピニオンにより２つのラックに同時に作用し、爪先ユニットおよび踵ユニットを互いに反対方向に移動させるようになっている。
調整中、これらの機構は、スキー板の長手方向軸に直交する基準面に関して略一定の所定の比率で上記長手方向運動を爪先ユニットおよび踵ユニットに伝達する。
【０００８】
上記装置の欠点の一つは、調整機構が、全てのタイプのビンディングに使用可能な汎用性を備えず、調整機構との接続機能を備えた専用のビンディングにのみ適用可能であることにある。
更に、上記の調整装置は調整機構をロックする装置を備え、この調整機構は、通常はたとえば、ピニオンすなわちラックを付勢する機構が下方領域に設けられた回転ノブから構成される。
【０００９】
このノブは、部分的に軸方向に滑動可能であって、ピニオンと選択的に相互作用する。
好ましくは、ノブは、例えばスプリングなどの弾性変形可能要素に対して軸方向へ部分的に滑動可能である。
このスプリングは、通常、ノブをピニオンと相互作用しないような位置に維持するのに好適し、スポーツ用具を用いてスキー運動を行えるようにする。
【００１０】
ビンディングの調整が必要な場合、スプリングに対してノブを軸方向に移動させてピニオンと接続可能にする。
ノブの回転後すなわち調整完了後、スプリングはスキー運動位置に戻って、ピニオンを付勢する機構からピニオンを解除する。
別の方法では、ノブの周縁に配された螺旋パターンの第１傾斜面と調整装置に堅固に連結した要素に形成された第２傾斜面との相互作用により、調整装置をロック可能かつ一時的にロック解除可能である。
【００１１】
この様に、ノブの回転により、ノブの回転と同時にノブが軸方向移動し、ノブとピニオンとの連結や連結解除を行えるようになっている。
上記一時ロック装置の主たる欠点は、スポーツ運動中すなわちビンディング調整可能でないときに、スキー運動中に生じる相当に大きな力によってラック・ピニオンシステムの部品間に遊びが生じることである。
【００１２】
このような遊びがあると、爪先ユニットおよび踵ユニットが有効性なしにロックされ、すなわち危険な不安定性をもってロックされることになり、その結果、スキー運動中の安全度が大幅に低減する。
ＤＥ−２，００１，９２９が開示するスキービンディングは、スキー板に固定された第１ベース要素上で長さ方向調整可能に配された第１支持要素と、スキー板に固定された追加ベース要素上で長さ方向調整可能に配された後部支持要素とを備え、更に、両支持装置の調整を同時に行うためのラック・ピニオン機構形式の調整装置を備えている。両支持要素間には２つのラックがあり、両ラックは、支持要素と両ラックに噛み合うピニオンとにそれぞれ接続されている。また、両ラックは手動で付勢可能かつロック可能である。
【００１３】
この解決策は、ピニオンがスキー板上で固定のロック位置を有する点に特徴があり、また、２つのラックが、ピニオンとの噛み合いが生じる領域においてスキー板横断方向の軸線に関して両ラックを方向づけ可能なように配されている点にある。
上記システムには更なる欠点がある。例えば、多数の部品が相互作用する際の遊びを極めて限定的なものにしなければならず、従って、スキー板に相当に大きな応力が加わると多数の部品が誤動作するおそれが生じる。
【００１４】
更に、ピニオンは、スキー板の上方部分に関して高さ方向に上昇して回転可能な位置と、スキー板の上方部分に押圧されるロック位置とを有している。そのため、ピニオンの配設面と略平行な平面上に位置づけられたピニオン付勢レバーが配設されることと相俟って、装置全体の厚さが相当に厚くなってしまう。
最後に、個々の部品が複雑であり、また、ラックに対して傾斜した軸線に沿ってラックと両端で相互作用するレバーはその形状が特殊であるので、ラックとの一時連結中に機構にジャミングや固着が生じ易くなる。
【００１５】
【発明が解決しようとする課題】
本発明の目的は、スキー板の重心に関してユーザの足や身体の位置を変更することなしに、スキービンディングの爪先ユニット及び踵ユニットの位置を簡単、迅速かつ連続的に変更可能とする装置を提供することにより、上述の技術的な問題点を解決して上記従来技術の欠点を解消することにある。
【００１６】
重要な目的は、市販されている如何なるタイプのスキービンディングにも適合可能な装置を提供することにある。
別の重要な目的は、爪先ユニット及び踵ユニットの如何なる機能からも靴寸法調整装置を独立かつ別個にするようにした装置を提供することにある。
別の重要な目的は、調整・ロック装置の高い剛性を担保し、スキー運動中の爪先ユニット及び踵ユニットの振動や遊びを無視できるようにした装置を提供することにある。
【００１７】
別の目的は、スキー板の使用中の撓み自由度を制限せず、また如何なる場合にもスキー板の撓み特性への影響を限定されたものにする装置を提供することにある。
別の目的は、構成が簡易で部品点数が少なく、厚さが薄い装置を提供することにある。
【００１８】
別の目的は、変形が少なくかつ製造コストが低廉な装置を提供することにある。
【００１９】
【課題を解決するための手段】
上記の目的および下記から明らかになる別の目的は、特にスキービンディング用の調整・ロック装置により達成される。この調整・ロック装置は、爪先ユニットおよび踵ユニットをそれぞれ支持するための第１前部プレートおよび第２後部プレートを備えるものにおいて、前記第１及び第２プレート間に第３プレートが介在し、また、前記第３プレートが、前記第１および第２プレートの互いに反対方向への軸方向移動を協調させるのに好適な機構への一時的なロックのための手段を備え、当該手段はユーザが付勢可能であることを特徴とする。
【００２０】
本発明の更なる特徴および利点は、非限定的な例として図示した特定の実施形態についての詳細な説明から明らかになろう。
【００２１】
【発明の実施の形態】
添付図面を参照すると、参照符号１は、特にスキービンディングに使用可能な調整・ロック装置を示す。この調整・ロック装置は、第１前部プレート２ａと第２後部プレート２ｂとを備える。両プレートは横断面が逆Ｃ字状であり、また、第３プレート４の第１及び第２端部３ａ、３ｂにそれぞれ滑動可能に結合可能になっている。第３プレートの第１，第２端部は、第１、第２プレートの下側に配されると共に両プレートと相補的な形状を有している。
【００２２】
第１、第２プレートと第３プレート４の第１及び第２端部３ａ、３ｂとのガイド付き接続を確実なものにするために図示しない一対のウイングが設けられ、両ウイングは第１及び第２プレート２ａ、２ｂの下方で内方へ突出している。
第１及び第２端部３ａ、３ｂには複数の孔５０が設けられ、両該端部はその下側に配される図示しないスキー板表面に対して複数のねじ５１により離脱自在に接続される。
【００２３】
第１及び第２プレート２ａ、２ｂは、爪先ユニット及び踵ユニットの支持体として作用する。爪先ユニット及び踵ユニットは、図示を省略するが公知のタイプのものであり、スキー靴の爪先および踵を一時的にロックするのに好適する。
第３プレート４の第１及び第２端部３ａ、３ｂに沿う第１及び第２プレート２ａ、２ｂのストロークは、第１及び第２当接面５ａ、５ｂにより限定される。両該当接面は、例えば第３プレート４の中央体６に対して第１及び第２端部３ａ、３ｂにテーパをつけることにより設けられる。
【００２４】
中央体６には区画７が形成され、第１及び第２プレート２ａ、２ｂの互いに反対方向への軸方向移動を協調させるのに好適な機構８をこの区画内に収容するようにしている。また、下方及び上方カバーパネル６ａ、６ｂにより、この区画を閉鎖できるようになっている。
本発明の上記特定の実施形態において、第１及び第２当接面５ａ、５ｂは、図３に示すように、上方カバーパネル６ｂの自由端に設けられている。
【００２５】
図４ないし図６は、第１及び第２プレート２ａ、２ｂの互いに反対方向への軸方向移動を協調させるのに好適な機構８に、上方ピニオン９ａおよびこれよりも小さい下方ピニオン９ａ、９ｂがどの様に設けられているのかを示す。上方および下方ピニオンは互いに重ねられて堅固に結合され、あるいは互いにモノリシックにされ、また、ピニオンを回転可能とする第１ピボット１５に係合する第１孔１４が中央に設けられている。
【００２６】
第１ピボット１５は垂直方向軸線を有し、中央体６の中央に配される。好ましくは第３下方端１５ａの接続により、第１ピボットは、中央体６に形成された相補形状の第１座１６内に配される。
第１ピボットの上方領域には第１ヘッド１５ｂが設けられる。上方カバーパネル６ｂが第１ヘッドに載置されるので、第１ヘッドは一対のピニオン９ａ、９ｂの抜け止めになる。
【００２７】
下方ピニオン９ｂは第１及び第２要素１０ａ、１０ｂに係合し、第１及び第２プレート２ａ、２ｂとの接続を構成している。
第１及び第２接続要素１０ａ、１０ｂの各々は、略Ｓ字状のブレードにより構成されている。これらのブレードの第１自由端１１ａ、１１ｂは第１及び第２プレート２ａ、２ｂにそれぞれ接続されている。特定の実施形態において、この接続には、参照符号１３ａ、１３ｂで示す第１及び第２リベットが用いられる。
【００２８】
第１および第２接続要素１０ａ、１０ｂの第２自由端１２ａ、１２ｂには、下方ピニオン９ｂの歯との相互作用に好適な側方ラックが設けられている。
ユーザが第１および第２プレート２ａ、２ｂ（あるいはこれらに接続されている爪先ユニットおよび踵ユニット）の一方または双方を運動させると、前記相互接続により、ラック形状の側部を有した第２自由端１２ａ、１２ｂが運動して下方ピニオン９ｂが回転する。
【００２９】
下方ピニオン９ｂは第２自由端１２ａ、１２ｂ間で相互作用するが、この下方ピニオン９ｂが存在するので、第１、第２プレート２ａ、２ｂが強制的に滑動され、両プレートは第３プレート４の第１、第２端部３ａ、３ｂに沿って互いに同じだけ反対方向に滑動する。
企図した調整を行うと、下方ピニオン９ｂに堅固に結合された上方ピニオン９ａがロックされることにより、爪先ユニットおよび踵ユニットを正しい位置にロックすることができる。
【００３０】
上記ロックは、第１および第２爪１７ａ、１７ｂから構成される一時ロック手段により実施される。爪１７ａ、１７ｂは、略三角形または涙滴状またはカム状の平面形状を有して、中央には、第２、第３ピボット１９ａ、１９ｂとの接続用の第２および第３孔１８ａ、１８ｂが設けられている。
第１および第２爪１７ａ、１７ｂは水平面上に配され、好ましくは互いに鏡面対称位置に配され、第２および第３ピボット１９ａ、１９ｂまわりで反対方向に回転可能である。
【００３１】
参照符号２０で一般的に示した一つ以上の歯が存在するので、２つの爪の相互回転は協調したものになる。歯は、第１および第２爪１７ａ、１７ｂのそれぞれから半径方向に突出し、ロック状態では互いに隣り合う。
歯２０は互いに相互作用することにより、２つの爪の一方に与えられた回転運動を調整し垂直長手方向面に関して対称にする。
【００３２】
第３ピボット１９は好ましくは円筒状であって、円形状の第３孔１８ｂに対して相補形状になっており、第３ピボットまわりで第２爪１７ｂを回転可能にする。
上記第３ピボット１９ｂの第４下方端２１ａは、中央体６に形成された相補形状の第２座２２内に収容可能になっている。また、第３ピボット１９ｂの上方領域には、第３ピボットからの第２爪１７ｂの逸脱を防止する第２ヘッド２１ｂが設けられている。
【００３３】
図８に示すように、第２ピボット１９ａの形状の特徴は第５下方端２３ａにある。第５下方端は円筒状であって、中央体６に形成された相補形状の第３座２４内に回転可能に結合されている。
第５端２３ａの上方で、第２ピボット１７ａは、第１爪１７ａとの非回転式接続用の角柱状領域２５を有している。第１爪の第２孔１８ａは、角柱状領域２に対して相補形状になっている。
【００３４】
第２ピボット１９ａは好ましくは角柱状の第６上方端２３ｂを有し、第６上方端は、レバー２７の下方面に形成された相補形状の第４座２６に非回転式に係合可能である。
レバー２７は、上方カバーパネル６ｂに形成された開口２８内に収容可能である。開口２８は、調整・ロック装置１を組み立てたときに第２ピボット１９ａからレバー２７が直ぐに分離しないような形状になっている。
【００３５】
レバー２７からはタブ２９が側方へ突出しており、ユーザがレバー２７を回転できるようになっている。この様に、タブ２９に作用を加えることにより第２ピボット１９ａが回転され、従って、第１爪１９ａも角柱形状領域２５での非回転式接続によって回転される。
歯２０によって、第１爪１７ａの回転に伴って第２爪１７ｂが第１爪の回転と同じだけ且つ反対方向に回転する。
【００３６】
両爪の協調した運動は、例えばワイヤスプリングなどの弾性変形可能要素３０の存在によって影響を受ける。弾性変形可能要素の自由端は第４および第５孔３１ａ、３１ｂに関連づけられている。両孔は相補形状であって、第２および第３孔１８ａ、１８ｂの近くに形成されている。
図４および図５は、上方ピニオン９ａ近くの第１、第２爪１９ａ、１９ｂがピニオンとどの様に半径方向に相互作用可能であって、自由端の側方近くに突出する第１、第２の組の歯３２ａ、３２ｂによりピニオンをどの様にロックするのかを示す。
【００３７】
第１、第２爪１７ａ、１７ｂにより構成されるロック装置は、弾性変形可能要素３０と反対方向にレバー２７に作用を加え、次に、両爪を図４の位置にまで回転させることにより開き、第１および第２の組の歯３２ａ、３２ｂを上方ピニオン９ａから連結解除する。
これと同時に弾性変形可能要素３０にはセット荷重が加えられ、タブ２９が押圧されたときに第１、第２爪１７ａ、１７ｂが閉じて両爪の歯の組を上方ピニオン９ａに固定する。
【００３８】
弾性変形可能要素２０には予めセット荷重が加えられているので、図５に示す位置では、一対のピニオンのロックを維持するのに好適な弾性力が発生し、装置が偶発的に開くことがない。
図９は、第１、第２爪１７ａ、１７ｂと協働するワイヤスプリング３０を示し、その上方に図示しない保護要素を配置することができる。保護要素は随意には中央体６に結合可能であり、全体構造を堅固にし、損傷から適正に保護する。
【００３９】
本装置の作用は次のとおりである。添付図面を参照すると、ユーザはレバー２７を図４に示した位置に回転させて調整・ロック装置１を付勢することにより、爪先ユニットと踵ユニット間の距離を調節可能である。
レバー２７を回転すると、第１、第２爪１７ａ、１７ｂが外方に回転して上方ピニオン９ａから連結解除され、機構８を解放する。
【００４０】
従って、下方領域で第１、第２プレート２ａ、２ｂに連結された爪先ユニットおよび踵ユニットは、スキー板の長手方向軸線に沿って反対方向に移動可能になる。
ユーザが爪先ユニットまたは踵ユニットに対して好適方向に単に圧力を手で加えると、第３プレート４の第１および第２端部に沿って爪先ユニットおよび踵ユニットが滑動する。
【００４１】
企図した調整が完了した後で調整装置をロックするにはタブ２９に作用を加えれば良く、これによりレバー２７が当初位置（図５）に戻り、上方ピニオン９ａ上で爪１７ａ、１７ｂの第１、第２の組の歯３２ａ、３２ｂが再度互いに接続される。
企図した目的が本発明により達成されることが明らかになった。また、スキー板の重心に関してユーザの足および身体の位置を変更することなしに、スキービンディングの爪先ユニットおよび踵ユニットの位置を容易、迅速かつ連続的に変更可能とする調整・ロック装置が提供されることが明らかになった。
【００４２】
本発明の装置は、爪先ユニットおよび踵ユニットの形状とは無関係であるので、市販されている如何なるタイプのスキービンディングにも適合する。更に、調整・ロック装置は、その形状によって非常に堅固であり、スキー運動中の爪先ユニットおよび踵ユニットの振動や遊びが無視できるものになる。
更に、本発明の装置は、固定式のプレートと滑動式のプレートから構成され、ビンディングを支持するという従来の機能に加えてビンディングの靴寸法調整機能を備えて、スキー板の撓み能力を不変にする。これは、ビンディングおよびその全ての調整が、スキー板の中央領域からプレートへ移されているからである。
【００４３】
本発明の装置は、特許請求の範囲に記載の範囲内で種々に変形可能である。
例えば、爪１７ａ、１７ｂの上方に接続要素１０ａ、１０ｂを配して上方ピニオン９ａの直径を下方ピニオンのものよりも小さくした装置を提供可能である。
また、第２ピボット１９ａの形状は実施形態に記載のものと異なるものでよく、特に、中央体６に対して第２ピボットが回転可能であると共にレバー２７および第１爪１７ａに対して同ピボットが回転不能であれば、第６端２３ｂと角柱状領域２５との間の領域では第２ピボットの形状を変更可能である。
【００４４】
本発明の個々の部品を構成する使用材料および寸法は、特定の要件に最適なもので良い。
本願で優先権を主張したイタリア特許願ＴＶ２０００Ａ０００１４７の開示をここに引用して合体することとする。
【図面の簡単な説明】
【図１】
本発明の装置を下方カバーパネルを除去して示す底面図である。
【図２】
本発明の装置を下方カバーパネルを除去して示す平面図である。
【図３】
本発明に係る装置の分解斜視図である。
【図４】
２つの異なる位置すなわち調整用位置とスキー運動用位置とに配されたロック手段および同ロック手段と相互作用する機構の底面図である。
【図５】
上記２つの異なる位置に配されたロック手段および同ロック手段と相互作用する機構の底面図である。
【図６】
スキー運動位置に配されたロック手段の斜視図である。
【図７】
一対のピニオンの底面斜視図である。
【図８】
第２ピボットの斜視図である。
【図９】
ロック手段の断面正面図である。
【符号の説明】
１　調整・ロック装置
２ａ　第１プレート
２ｂ　第２プレート
３ａ　第３プレートの第１端
３ｂ　第３プレートの第２端
４　第３プレート
５ａ　第１当接面
５ｂ　第２当接面
６　中央体
６ａ　下方カバーパネル
６ｂ　上方カバーパネル
７　区画
８　機構
９ａ　上方ピニオン
９ｂ　下方ピニオン
１０ａ　第１要素
１０ｂ　第２要素
１１ａ、１１ｂ　第１自由端
１２ａ、１２ｂ　第２自由端
１４　第１孔
１５　第１ピボット
１５ａ　第３下方端
１６　第１座
１７ａ　第１爪
１７ｂ　第２爪
１８ａ　第２孔
１８ｂ　第３孔
１９ａ　第２ピボット
１９ｂ　第３ピボット
２０　歯
２２　第２座
２３ａ　第５下方端
２３ｂ　第６上方端
２５　角柱形状領域
２６　第４座
２７　レバー
２８　開口
２９　タブ
３０　弾性変形可能要素
３１ａ　第４孔
３１ｂ　第５孔
３２ａ　第１の組の歯
３２ｂ　第２の組の歯
【国際公開パンフレット】
2004514512.tif 000003
2004514512.tif 000004
2004514512.tif 000005
2004514512.tif 000006
2004514512.tif 000007
2004514512.tif 000008
2004514512.tif 000009
2004514512.tif 000010
2004514512.tif 000011
2004514512.tif 000012
2004514512.tif 000013
2004514512.tif 000014
2004514512.tif 000015
2004514512.tif 000016
2004514512.tif 000017
2004514512.tif 000018
2004514512.tif 000019
2004514512.tif 000020
2004514512.tif 000021
2004514512.tif 000022
2004514512.tif 000023
2004514512.tif 000024
2004514512.tif 000025
【国際調査報告】
2004514512.tif 000026
2004514512.tif 000027